(57)【要約】【課題】本発明は、ばねの取付けに取付部材等の別部材を用いる必要をなくすことができ、ばねの取付が容易で、ばねが外れにくく、ばね取付部及びルーバの格子が変形しない換気装置を提供することを目的としている。【解決手段】ルーバ１３の裏面には通風開口の開口部１６周縁付近にばねのばね取付部１７を設け、このばね取付部１７は２個のボス部１８と２個のボス部１８から対向する方向に突出し隙間を有して重なるように形成したばね引掛部１９とからなり、前記隙間からばねの二股状を形成するばね環状部を挿入して、ばねを取り付けることにより、ばねの取付けに取付部材等の別部材を用いる必要をなくすことができ、ばねの取付が容易で、ばねが外れにくく、ばね取付部およびルーバの格子が変形しない換気装置が得られる。【選択図】図２
2007232324.tif 000002
【特許請求の範囲】
【請求項１】
底面に吸込口とフランジ部、側面に通風口を設けた箱体に、前記箱体の底面の吸込口を室内側から覆い装着される裏面に設けられた二股状で先端がほぼ環状のばねを有したルーバと、前記ばねと係合するように前記箱体の開口の内部にばね係合部を具備した天井に取り付けられる換気装置において、前記ルーバの裏面には通風開口の開口部周縁付近に前記ばねを取り付けるばね取付部を設け、このばね取付部は２個のボス部と２個のボス部から対向する方向に突出し隙間を有して形成したばね引掛部とからなり、前記隙間から前記ばねの二股状を形成するばね環状部を挿入して前記ばねを取り付けた構成を特徴とする換気装置。
【請求項２】
ルーバの開口部よりも外側にばね取付部を設けた構成を特徴とする請求項１記載の換気装置。
【請求項３】
ばね取付部の材質を軟質材とした構成を特徴とする請求項１または２記載の換気装置。
【請求項４】
ルーバとばね取付部を一体とする構成を特徴とする請求項１〜３のいずれかに記載の換気装置。
【請求項５】
ばね取付部のボス部にリブを設けた構成を特徴とする請求項１〜４のいずれかに記載の換気装置。
【請求項６】
ばね引掛部間の隙間をばねの線径より広くした構成を特徴とする請求項１〜５のいずれかに記載の換気装置。
【請求項７】
ばね引掛部の先端にばね抜け止め用の突起を設けた構成を特徴とする請求項１〜６のいずれかに記載の換気装置。
【請求項８】
突起はばねの位置決めをした構成を特徴とする請求項７記載の換気装置。
【請求項９】
ばね引掛部の先端部とボス部との隙間をばね環状部の幅より広くする構成を特徴とする請求項１〜８のいずれかに記載の換気装置。
【発明の詳細な説明】
【技術分野】
【０００１】
本発明は、天井等に設置されて換気を行う換気装置に設けられるルーバのばね取り付けに関する。
【背景技術】
【０００２】
従来、この種の換気装置としては、吸込口の開口を覆うように設けられるルーバが２股状のばねを用い、ばねの開き勝手の弾性力により取り付けるものが主流となっている（例えば、特許文献１参照）。
【０００３】
以下、その換気装置について、図６〜図８を参照にしながら説明する。
【０００４】
図に示すように、天井１０１に埋込まれる換気装置１０２に設けられた保持部１０３と、この保持部１０３に係止部１０４および環状部１０５を有するばね１０６と環状部１０５を挿入するようにルーバ１０７に設けられたばね支持片１０８と、このばね支持片１０８の環状部１０５に対応する部分に設けられたほぼ半月状の取付穴１０９と一端にストッパー１１０を有し、かつ取付穴１０９および環状部１０５に挿入される他端にストッパー１１０形成のかしめ部１１１を有する断面がほぼＵ字状の折り曲げ片１１２からなる取付部材１１３を備え、ばね１０６の環状部１０５をばね支持片１０８間に挿入し、取付部材１１３をかしめ部１１１側から取付穴１０９および環状部１０５に挿入しかしめ部１１１をかしめてストッパー１１０を形成し、ばね１０６をルーバ１０７に取り付けていた。
【０００５】
また、この種の取り付けには、ばね取付部を設けてばねを取り付ける方法もある（例えば、特許文献２参照）。
【０００６】
以下、その換気装置について、図９〜図１１を参照にしながら説明する。
【０００７】
図に示すように、天井１１４に埋込まれる保持部１１５を設けた換気装置１１６と、ばね取付部１１７の中心部に線材を円形状に巻いた環状部１１８を有するばね１１９が取り付けられたルーバ１２０とを備え、ルーバ１２０にばね１１９の環状部１１８が挿入される円弧状の挿入溝１２１と、この挿入溝１２１に連通し挿入された環状部１１８の方向を変換する方向変換溝１２２とを設けていた。
【特許文献１】実公昭６３−４５６３４号公報
【特許文献２】特開２０００−２８３５４０号公報
【発明の開示】
【発明が解決しようとする課題】
【０００８】
このような換気装置で、特許文献１に記載されている換気装置においては、ルーバ１０７に設けたばね支持片１０８間にばね１０６を取り付けるのに、取付部材１１３を別に設ける必要があるとともに、ばね１０６に設けた環状部１０５をばね支持片１０８に設けた取付穴１０９に合致させ、取付部材１１３を取付穴１０９に挿入したのち、かしめ部１１１を折り曲げかしめなければならないので取付作業に手間がかかるという課題があった。
【０００９】
また、特許文献２に記載されている換気装置においては、ばね１１９が換気装置１１６の保持部１１５に垂直に取り付いている場合には、ばね取付部１１７からばね１１９が外れてしまうという課題があり、また、ばね１１９が換気装置１１６の保持部１１５に斜めに取り付いている場合にはばね取付部１１７が片持ち構造と同じ状態となるため、ばね取付部１１７の変形またはばね取付部１１７にモーメントがかかり、浴室など比較的温度の高い環境で使われる場合、ルーバ１２０の格子が換気装置１１６側に変形するという課題があった。
【００１０】
本発明は、上記課題を解決するもので、ばねの取付けに取付部材等の別部材を用いる必要がなく、ばね取付が容易で、ばねが外れにくく、ばね取付部およびルーバの格子が変形しない換気装置を提供することを目的としている。
【課題を解決するための手段】
【００１１】
本発明の換気装置は上記目的を達成するために、底面に吸込口とフランジ部、側面に通風口を設けた箱体に、前記箱体の底面の吸込口を室内側から覆い装着される裏面に設けられた二股状で先端がほぼ環状のばねを有したルーバと、前記ばねと係合するように前記箱体の開口の内部にばね係合部を具備した天井に取り付けられる換気装置において、前記ルーバの裏面には通風開口の開口部周縁付近に前記ばねを取り付けるばね取付部を設け、このばね取付部は２個のボス部と２個のボス部から対向する方向に突出し隙間を有して形成したばね引掛部とからなり、前記隙間から前記ばねの二股状を形成するばね環状部を挿入して前記ばねを取り付けた構成としたものである。
【００１２】
この手段により、ばねの取付けが容易で、かつばね取付部のボスおよびルーバの格子の変形を防げる換気装置が得られる。
【００１３】
また、他の手段は、ルーバの開口部よりも外側にばね取付部を設けた構成としたものである。
【００１４】
この手段により、ルーバの格子の変形を防げる換気装置が得られる。
【００１５】
また、他の手段は、ばね取付部の材質を軟質材とした構成としたものである。
【００１６】
この手段により、ばねの挿入を容易にすることができ、ばね挿入時におけるばね取付部の割れ、変形を防止できる換気装置が得られる。
【００１７】
また、他の手段は、ルーバとばね取付部を一体とする構成としたものである。
【００１８】
この手段により、ばねの取付けに取付部材等の別部材を用いる必要をなくすことができる換気装置が得られる。
【００１９】
また、他の手段は、ばね取付部のボス部にリブを設けた構成としたものである。
【００２０】
この手段により、ボス部の変形を防止できる換気装置が得られる。
【００２１】
また、他の手段は、ばね引掛部間の隙間をばねの線径より広くした構成としたものである。
【００２２】
この手段により、ばねの挿入を容易にできる換気装置が得られる。
【００２３】
また、他の手段は、ばね引掛部の先端にばね抜け止め用の突起を設けた構成としたものである。
【００２４】
この手段により、ばねがばね取付部より外れにくい換気装置が得られる。
【００２５】
また、他の手段は、突起はばねの位置決めをした構成としたものである。
【００２６】
この手段により、ばね取付の位置決めができる換気装置が得られる。
【００２７】
また、他の手段は、ばね引掛部の先端部とボス部との隙間をばね環状部の幅より広くする構成としたものである。
【００２８】
この手段により、ばねの挿入が容易な換気装置が得られる。
【発明の効果】
【００２９】
本発明によれば、底面に吸込口とフランジ部、側面に通風口を設けた箱体に、前記箱体の底面の吸込口を室内側から覆い装着される裏面に設けられた二股状で先端がほぼ環状のばねを有したルーバと、前記ばねと係合するように前記箱体の開口の内部にばね係合部を具備した天井に取り付けられる換気装置において、前記ルーバの裏面には通風開口の開口部周縁付近に前記ばねを取り付けるばね取付部を設け、このばね取付部は２個のボス部と２個のボス部から対向する方向に突出し隙間を有して形成したばね引掛部とからなり、前記隙間から前記ばねの二股状を形成するばね環状部を挿入して前記ばねを取り付けた構成を特徴としたことにより、はねの取付けが容易で、かつばね取付部のボス及びルーバの格子が変形を防げるという効果のある換気装置を提供できる。
【００３０】
また、ルーバの開口部よりも外側にばね取付部を設けた構成を特徴としたことにより、ルーバの格子の変形を防げるという効果のある換気装置を提供できる。
【００３１】
また、ばね取付部の材質を軟質材とした構成を特徴としたことにより、ばねの挿入を容易にすることができ、ばね挿入時におけるばね取付部の割れ、変形を防止できるという効果のある換気装置を提供できる。
【００３２】
また、ルーバとばね取付部を一体とする構成を特徴としたことにより、ばねの取付けに取付部材等の別部材を用いる必要をなくすことができるという効果のある換気装置を提供できる。
【００３３】
また、ばね取付部のボス部にリブを設けた構成を特徴としたことにより、ボス部の変形を防止できるという効果のある換気装置を提供できる。
【００３４】
また、ばね引掛部間の隙間をばねの線径より広くした構成を特徴としたことにより、ばねの挿入を容易にできるという効果のある換気装置を提供できる。
【００３５】
また、ばね引掛部の先端にばね抜け止め用の突起を設けた構成を特徴としたことにより、ばねがばね取付部より外れにくいという効果のある換気装置を提供できる。
【００３６】
また、突起はばねの位置決めをした構成を特徴としたことにより、ばね取付の位置決めができるという効果のある換気装置を提供できる。
【００３７】
また、ばね引掛部の先端部とボス部との隙間をばね環状部の幅より広くする構成を特徴としたことにより、ばねの挿入が容易になるという効果のある換気装置を提供できる。
【発明を実施するための最良の形態】
【００３８】
本発明の請求項１記載の換気装置は、底面に吸込口とフランジ部、側面に通風口を設けた箱体に、前記箱体の底面の吸込口を室内側から覆い装着される裏面に設けられた二股状で先端がほぼ環状のばねを有したルーバと、前記ばねと係合するように前記箱体の開口の内部にばね係合部を具備した天井に取り付けられる換気装置において、前記ルーバの裏面には通風開口の開口部周縁付近に前記ばねを取り付けるばね取付部を設け、このばね取付部は２個のボス部と２個のボス部から対向する方向に突出し隙間を有して形成したばね引掛部とからなり、前記隙間から前記ばねの二股状を形成するばね環状部を挿入して前記ばねを取り付けたことにより、はねの取付けが容易で、かつばね取付部のボス及びルーバの格子が変形を防ぐことができるという作用を有する。
【００３９】
また、本発明の請求項２記載の換気装置は、ルーバの開口部よりも外側にばね取付部を設けたことにより、ルーバの格子の変形を防げるという作用を有する。
【００４０】
また、本発明の請求項３記載の換気装置は、ばね取付部の材質を軟質材としたことにより、ばねの挿入を容易にすることができ、ばね挿入時におけるばね取付部の割れ、変形を防止できるという作用を有する。
【００４１】
また、本発明の請求項４記載の換気装置は、ルーバとばね取付部を一体とすることにより、ばねの取付けに取付部材等の別部材を用いる必要をなくすことができるという作用を有する。
【００４２】
また、本発明の請求項５記載の換気装置は、ばね取付部のボス部にリブを設けたことにより、ボス部の変形を防止できるという作用を有する。
【００４３】
また、本発明の請求項６記載の換気装置は、ばね引掛部間の隙間をばねの線径より広くしたことにより、ばねの挿入を容易にできるという作用を有する。
【００４４】
また、本発明の請求項７記載の換気装置は、ばね引掛部の先端にばね抜け止め用の突起を設けたことにより、ばねがばね取付部より外れにくいという作用を有する。
【００４５】
また、本発明の請求項８記載の換気装置は、突起はばねの位置決めをしたことにより、ばね取付の位置決めができるという作用を有する。
【００４６】
また、本発明の請求項９記載の換気装置は、ばね引掛部の先端部とボス部との隙間をばね環状部の幅より広くすることにより、ばねの挿入が容易になるという作用を有する。
【００４７】
以下、本発明の実施の形態について、図１〜図５を参照しながら説明する。
【００４８】
（実施の形態１）
図１に示すように、底面に吸込口１を有し、側面に通風口２を設け、上部にモータ３およびモータ保持板４、内部に羽根５、ケーシング６を収納した箱状の換気装置７と、通風口２に連通する換気装置７側の接続口８およびダクト９と連通するダクト９側の接続口１０を一体に設け、天井１１に設けた換気装置７の吸込口１を覆うように装着されるルーバ１３とルーバ１３を装着するために、ルーバ１３の裏面に設けられた２股状で先端がほぼ環状のばね１４を２箇所有し、ばね係合部１５に係合させて取り付ける構成としている。
【００４９】
そして、換気装置７を運転すると、モータ３そして羽根５が駆動し、吸込口１から室内の空気が吸込まれると共に、ダクト９を介して室外へ排出されることとなる。
【００５０】
図２、図３および図５に示すように、ばね１４はルーバ１３裏面に通風開口の開口部１６周縁付近に設けているばね取付部１７に取り付けられており、このばね取付部１７は２個のボス部１８と２個のボス部１８から対向する方向に突出し、隙間を有して重なるように形成されたばね引掛部１９とから構成されている。
【００５１】
ばね１４の取り付け方法としては、片側のばね引掛部１９にばね環状部２０を通し、ばね引掛部１９間の隙間を通して、もう片側のばね引掛部１９の先端まで入れた後、ばね１４を手前に回転させ、もう片側のばね引掛部１９にばね環状部２０を通らせるように逆回転させる。ばね引掛部１９間の隙間Ａは、ばね１４の線径以上空いており、またばね引掛部１９先端とボス部１８との最短距離Ｂはばね環状部２０の幅Ｃ（ばね自由長さ）よりも広くしているので、ばね環状部２０をばね引掛部１９が２つ分納まる寸法以上にして、ばね環状部２０をばね引掛部１９を覆うようにできる。そのような寸法にすることにより、ばね引掛部１９を変形さすことなく、ばね１４を挿入できる。
【００５２】
挿入後の状態はばね環状部２０に２つのばね引掛部１９が通っており、ルーバ１３の取付時は２つのばね引掛部１９で均等にばね１４の引っ張り力を受けている。そのため１個の場合の片持ちと比較しても、応力が分散して、ボス部１８の変形を抑えることができる。同時にボス部１８に発生するモーメントも抑えることができるため、格子の変形も抑えることができる。
【００５３】
また、ばね取付部１７の位置はルーバ１３の開口部１６に設けるのではなく、開口部１６の外周側に設けている。開口部１６、つまり格子上にばね取付部１７を設けるとばね１４の引張力により、格子が直接応力がかかる状態となり、変形しやすくなるため、ばね取付部１７を開口部１６の外側に設けることにより、ルーバ外周部２１からの距離が小さくなるためルーバ外周部２１を支点としたばね引張り力によるモーメントも小さくすることができる。
【００５４】
また、図４に示すように、ばね引掛部１９先端には突起２２を設けており、一度ばね１４を挿入するとばね１４が抜けにくくなり、抜け防止となっている。そのため、この突起２２の長さは突起２２の先端とルーバ１３底面との距離が通常状態ではばね１４の線径より狭くなるように設定する。そして、ばね引掛部１９にはそれぞれ突起２２があり、この突起２２間の寸法はばね環状部２０の幅（ばね自由長さ）よりも広く設けている。また、この突起２２の位置は換気装置７のばね係合部１５の位置とほぼ合うように設けており、位置決めの役割も果たす。
【００５５】
また、ボス部１８にはリブ２３を設けて剛性を上げており、ボス部１８の変形を抑える形としている。ボス部１８としているが、その形状は丸だけでなく、四角やＨ型など引掛部を構成できる形状であれば同様の効果が得られる。
【００５６】
また、ばね取付部１７はルーバ１３と一体の同材質で形成し、別材質の部材を設けることがないため、コストを下げられる。その材質は、ばね１４の取付時に樹脂がたわむ材質が適当であり、ＰＰのような曲げ強さの小さい樹脂にて作製される。そのため、ばね１４を取付時にばね取付部１７が折れたりすることを防ぐことができる。
【００５７】
このように、本発明の実施の形態の換気装置によれば、底面に吸込口１とフランジ部１２、側面に通風口２を設けた箱体に、前記箱体の底面の吸込口１を室内側から覆い装着される裏面に設けられた２股状で先端がほぼ環状のばね１４を有したルーバ１３と、ばね１４と係合するように前記箱体の開口の内部にばね係合部１５を具備した天井１１に取り付けられる換気装置７において、ルーバ１３の裏面には前記通風開口の開口部１６周縁付近にばね取付部１７を設け、この取付部１７は２個のボス部１８と２個のボス部１８から対向する方向に突出し隙間を有して重なるように形成したばね引掛部１９とからなり、前記隙間からばね１４の二股状を形成するばね環状部２０を挿入して、ばね１４を取り付けたので、ばね１４の取付けが容易で、かつばね取付部１７のボス部１８およびルーバ１３の格子が変形を防ぐことができる。
【００５８】
また、ルーバ１３の開口部１６よりも外側にばね取付部１７を設ける構成としたので、ルーバ１３の格子の変形を防ぐことができる。
【００５９】
また、ばね取付部１７の材質を軟質材としたので、ばね１４の挿入を容易にすることができ、ばね１４挿入時におけるばね取付部１７の割れ、変形を防止できる。
【００６０】
また、ルーバ１３とばね取付部１７を一体としたので、ばね１４の取付けに取付部材等の別部材を用いる必要をなくすことができる。
【００６１】
また、ばね取付部１７のボス部１８にリブ２３を設けたので、ボス部１８の変形を防止できる。
【００６２】
また、２つのばね引掛部１９の隙間をばね１４の線径より広くしたので、ばね１４の挿入を容易にできる。
【００６３】
また、ばね引掛部１９の先端にばね抜け止め用の突起２２を設けたので、ばね１４がばね取付部１７より外れにくくなる。
【００６４】
また、ばね１４の抜け止め用の突起２２は、ばね１４の位置決めをする構成としたので、ばね１４の取付位置決めができる。
【００６５】
また、ばね引掛部１９の先端部とボス部１８との隙間をばね１４のばね環状部２０の幅より広くしたので、ばね１４の挿入が容易にすることができる。
【産業上の利用可能性】
【００６６】
本発明にかかる換気装置におけるルーバのばね取り付け構造は、ルーバに取り付けるためのばねを容易に取り付けできる構造によって、空調機、送風機等に設けられているルーバのばね取り付けの構造にも適用できる。
【図面の簡単な説明】
【００６７】
【図１】本発明の実施の形態における換気装置の側面断面図
【図２】同換気装置のルーバの底面正面図
【図３】同換気装置のルーバとばねの関係の関係を示す斜視図
【図４】同換気装置のばね取付部の構成を示す側面断面図
【図５】同換気装置のばね取付部の構成を示す部分正面図
【図６】従来の換気装置のばねとルーバの関係を示す斜視図
【図７】同換気装置の取付部材の構成を示す斜視図
【図８】同換気装置の構成を示す断面図
【図９】同換気装置の別形態でのばねとルーバの関係を示す斜視図
【図１０】同換気装置のばね取付部の構成を示す斜視図
【図１１】同換気装置の構成を示す側断面図
【符号の説明】
【００６８】
１    吸込口
２    通風口
７    換気装置
１１  天井
１２  フランジ部
１３  ルーバ
１４  ばね
１５  ばね係合部
１６  開口部
１７  ばね取付部
１８  ボス部
１９  ばね引掛部
２０  ばね環状部
２２  突起
２３  リブ
【図１】
2007232324.tif 000003
【図２】
2007232324.tif 000004
【図３】
2007232324.tif 000005
【図４】
2007232324.tif 000006
【図５】
2007232324.tif 000007
【図６】
2007232324.tif 000008
【図７】
2007232324.tif 000009
【図８】
2007232324.tif 000010
【図９】
2007232324.tif 000011
【図１０】
2007232324.tif 000012
【図１１】
2007232324.tif 000013